(57)【要約】【課題】  樹脂製のディスク押さえを含んでケースを把持しても、その撓み変形を抑止することができ、ユーザーに操作上での不安感を抱かせることがないディスクカートリッジの提供を課題とする。【解決手段】  一方の面に記録面１２Ｂが形成され、他方の面に非記録面１２Ａが形成された円盤状のディスクメディア１２と、ディスクメディア１２の取り出しを可能とし、非記録面１２Ａを露出させるディスク開口部３５と、記録面１２Ｂへのアクセスを可能とし、シャッター部材６０、１８によって開閉される開口２０とを有するケース１４と、ケース１４に回動可能に設けられ、ディスクメディア１２の不使用時には、非記録面１２Ａを押圧保持し、ディスクメディア１２の使用時には、非記録面１２Ａから離間するディスク押さえ２４と、を備えたディスクカートリッジ１０において、ディスク押さえ２４の内面に、撓んだときにディスクメディア１２の非記録面１２Ａに当接する突起９２を設ける。【選択図】        図８
2005267689.tif 000002
【特許請求の範囲】
【請求項１】
一方の面に記録面が形成され、他方の面に非記録面が形成された円盤状のディスクメディアと、
前記ディスクメディアの取り出しを可能とし、前記非記録面を露出させるディスク開口部と、前記記録面へのアクセスを可能とし、シャッター部材によって開閉される開口とを有するケースと、
前記ケースに回動可能に設けられ、前記ディスクメディアの不使用時には、前記非記録面を押圧保持し、前記ディスクメディアの使用時には、前記非記録面から離間するディスク押さえと、
を備えたディスクカートリッジにおいて、
前記ディスク押さえの内面に、撓んだときに前記ディスクメディアの非記録面に当接する突起を設けたことを特徴とするディスクカートリッジ。
【請求項２】
前記突起は、前記ディスクメディアの外周縁部に当接することを特徴とする請求項１に記載のディスクカートリッジ。
【請求項３】
前記ディスク押さえが、前記ケースに回動可能に支持されるアーム部と、前記アーム部の先端に連設された平面視略三日月形状の押さえ部と、で構成され、前記突起が、前記アーム部と前記押さえ部との連設部近傍に突設されていることを特徴とする請求項１又は請求項２に記載のディスクカートリッジ。
【請求項４】
前記突起は、柱状に形成されていることを特徴とする請求項１乃至請求項３の何れか１項に記載のディスクカートリッジ。
【発明の詳細な説明】
【技術分野】
【０００１】
本発明は、映像等の各種情報の記録再生媒体として用いられる円盤状のディスクメディアをケース内に収容してなるディスクカートリッジに関する。
【背景技術】
【０００２】
例えば、コンピューター用の記録再生媒体や映像の記録再生媒体として、光ディスクや光磁気ディスク等の円盤状のディスクメディアが用いられている。このようなディスクメディアは、記録又は再生を行う際には、ディスクドライブ装置に装填された状態で回転スピンドル軸によって回転されつつ、ディスクメディアの記録面側にアクセスした記録ヘッドによって、ディスクメディアの記録層へレーザー光又はレーザー光と磁場の両方が照射される。これにより、ディスクメディアでは、記録層の分解及び／又は昇温によるピット形成や相変化、磁化反転等によって情報の記録がなされ、又はレーザー光の反射率や偏光角の相違を再生ヘッドで読み取って、記録された情報の再生が行われるようになっている。
【０００３】
また、このようなディスクメディアの高記録容量化に伴い、ディスクメディアの記録面側の表面（記録面を被覆するカバー層）への塵埃の付着を防止するために、ディスクメディアをケース内に収容したディスクカートリッジが知られている（例えば、特許文献１参照）。このようなディスクカートリッジでは、ディスクメディアのセンター孔及び記録面にアクセスするための開口がケースに設けられており、その開口はシャッター部材によって開閉されるようになっている。
【０００４】
更に、ケースにおけるディスクメディアへのアクセス用の開口が設けられた下面（底板）とは反対側の上面（天板）に、ディスクメディアの取り出しを可能とするディスク開口部を設け、ケースがより薄くなるように構成したディスクカートリッジが知られている（例えば、特許文献２参照）。このように、ディスクカートリッジのケースがより薄型に構成されると、ディスクドライブ装置を薄型に設計できるので、省スペース化が図れるというメリットがある。
【０００５】
また、ディスク開口部が設けられるディスクカートリッジには、主に片面記録タイプのディスクメディアが収容されるが、そのケースには、ディスクメディアがディスク開口部から脱落しないようにするためのディスク押さえが設けられている。すなわち、所定の大きさの略平板状に形成されたディスク押さえが、ケースの後部側に回動可能に、かつディスクメディアへ向けて付勢された状態で設けられ、このディスク押さえの先端が、ケースに収容されたディスクメディアの上面（非記録面）の一部を押さえることで、ディスクメディアのケースからの脱落を防止するようにしている。
【特許文献１】特開２００３−１１５１８４号公報
【特許文献２】特開２００３−２４２７４０号公報
【発明の開示】
【発明が解決しようとする課題】
【０００６】
ところで、このようなディスク押さえが設けられているディスクカートリッジを扱うときには、そのディスク押さえを含むケースの後部側を把持して、ディスクドライブ装置に装填することが多い。しかしながら、ディスク押さえは樹脂材で成形されており、その先端でディスクメディアを押圧保持しているだけなので、ディスク押さえを含んでケースを把持すると、その押圧力でディスク押さえが簡単に撓んでしまい、ユーザーに操作上での不安感を与えてしまう場合があった。
【０００７】
他方、ディスク押さえを金属で成形すると、強度低下は緩和できるが、ディスク押さえがディスクメディアの非記録面を傷つけてしまうことがあった。ディスクメディアの非記録面は印刷面として用いられるため、その印刷面が傷ついてしまうと、意匠的にも好ましくない問題がある。したがって、ディスク押さえは、樹脂材で成形されるのが好ましいが、上記のような問題があるため、その強度を向上させることが従来からの課題であった。
【０００８】
そこで、本発明は、このような問題点に鑑み、樹脂製のディスク押さえを含んでケースを把持しても、その撓み変形を抑止することができ、ユーザーに操作上での不安感を抱かせることがないディスクカートリッジを得ることを目的とする。
【課題を解決するための手段】
【０００９】
上記の目的を達成するために、本発明に係る請求項１に記載のディスクカートリッジは、一方の面に記録面が形成され、他方の面に非記録面が形成された円盤状のディスクメディアと、前記ディスクメディアの取り出しを可能とし、前記非記録面を露出させるディスク開口部と、前記記録面へのアクセスを可能とし、シャッター部材によって開閉される開口とを有するケースと、前記ケースに回動可能に設けられ、前記ディスクメディアの不使用時には、前記非記録面を押圧保持し、前記ディスクメディアの使用時には、前記非記録面から離間するディスク押さえとを備えたディスクカートリッジにおいて、前記ディスク押さえの内面に、撓んだときに前記ディスクメディアの非記録面に当接する突起を設けたことを特徴としている。
【００１０】
請求項１の発明では、ディスク押さえの内面に、撓んだときにディスクメディアの非記録面に当接する突起を設けたので、ディスク押さえを含んでケースを把持しても、ディスク押さえの撓み変形を抑止することができる。したがって、ユーザーに操作上での不安感を抱かせることがない。
【００１１】
また、請求項２記載のディスクカートリッジは、請求項１に記載のディスクカートリッジにおいて、前記突起が、前記ディスクメディアの外周縁部に当接することを特徴としている。
【００１２】
請求項２の発明では、突起は、ディスクメディアの外周縁部に当接するので、そのディスクメディアの印刷面を傷つけるおそれがない。
【００１３】
また、請求項３に記載のディスクカートリッジは、請求項１又は請求項２に記載のディスクカートリッジにおいて、前記ディスク押さえが、前記ケースに回動可能に支持されるアーム部と、前記アーム部の先端に連設された平面視略三日月形状の押さえ部と、で構成され、前記突起が、前記アーム部と前記押さえ部との連設部近傍に突設されていることを特徴としている。
【００１４】
請求項３の発明では、ディスク押さえが、ケースに回動可能に支持されるアーム部と、アーム部の先端に連設された平面視略三日月形状の押さえ部とで構成され、突起が、アーム部と押さえ部との連設部近傍に突設されているので、その突起により、ディスク押さえの撓み変形を好適に抑止することができる。
【００１５】
また、請求項４に記載のディスクカートリッジは、請求項１乃至請求項３の何れか１項に記載のディスクカートリッジにおいて、前記突起が、柱状に形成されていることを特徴としている。
【００１６】
請求項４の発明では、突起が柱状に形成されているので、充分に剛性を確保することができる。したがって、ディスク押さえの撓み変形を好適に抑止することができる。
【発明の効果】
【００１７】
以上、何れにしても本発明によれば、樹脂製のディスク押さえを含んでケースを把持しても、その撓み変形を抑止することができ、ユーザーに操作上での不安感を抱かせることがないディスクカートリッジを提供することができる。
【発明を実施するための最良の形態】
【００１８】
以下、本発明の最良な実施の形態について、図面に示す実施例を基に詳細に説明する。なお、図１において示す矢印Ａは、ディスクカートリッジ１０のディスクドライブ装置（以下、単に「ドライブ装置」という）への装填方向を示しており、説明の便宜上、その矢印Ａで示す側を前側とする。そして、矢印Ａと直交する矢印Ｂで示す方向を上側、矢印Ａ及び矢印Ｂと直交する矢印Ｃで示す方向を右側とする。また、以下において、本発明おける「不使用時」を「保存時」、「使用時」を「動作時」として説明する場合がある。
【００１９】
図１乃至図３で示すように、ディスクカートリッジ１０は、円盤状に形成された情報記録再生媒体としてのディスクメディア１２と、ディスクメディア１２を収容するケース１４と、ディスクメディア１２へアクセスするためにケース１４の下面に設けられた開口２０（記録及び／又は再生ヘッド用窓部２０Ｂ）を開閉可能な第１シャッター部材６０を有するインナーローター１６及び第２シャッター部材１８と、インナーローター１６の回動と連動して上下動するディスク受け２２と、ディスクメディア１２の保存時に、ディスクメディア１２がケース１４の上面に設けられたディスク開口部３５から脱落しないように保持するディスク押さえ２４とで主に構成されている。
【００２０】
なお、ディスクメディア１２を除く上記各部材は、主に合成樹脂で成形される。また、ディスクカートリッジ１０の不使用時（ディスクメディア１２の保存時）に、インナーローター１６の回動を阻止して開口２０（記録及び／又は再生ヘッド用窓部２０Ｂ）の閉塞状態を維持するロック部材も設けられているが、これについての図示及び説明は省略する。
【００２１】
まず、ディスクメディア１２について説明する。ディスクメディア１２は、その一方の面（上面）が非記録面１２Ａとされ、他方の面（下面）が記録面１２Ｂとされており、その軸心部には円形のセンター孔１２Ｃが穿設されている。
【００２２】
非記録面１２Ａは、印刷等が施される印刷面であり、後述するディスク開口部３５によって常に外部へ露出されている。したがって、例えばディスクメディア１２のコンテンツ等が非記録面１２Ａに印刷されていれば、ユーザーは、ディスクメディア１２の内容を容易に把握することができる。また、その非記録面１２Ａ（印刷面）の意匠性を高めれば、ディスクカートリッジ１０全体の意匠性を向上させることができる。
【００２３】
記録面１２Ｂは、ディスクメディア１２の下面における外周縁部１２Ｅ及びセンター孔１２Ｃ周りの所定範囲（後述するチャッキングエリア１２Ｄ）を除く部分に、環状に記録層が形成されており、カバー層にて被覆保護されている。また、ディスクメディア１２の下面において、センター孔１２Ｃと記録面１２Ｂとの間の領域は、ドライブ装置の回転スピンドル軸（図示省略）がディスクメディア１２を保持するためのチャッキングエリア１２Ｄとされており、非記録面１２Ａ側にもチャッキングエリア１２Ｄが同位置にある。
【００２４】
すなわち、このディスクメディア１２は、記録面（下面）１２Ｂ側が後述するハブ孔２０Ａから進入して来る回転スピンドル軸によって保持され、非記録面（上面）１２Ａ側がディスク開口部３５から進入して来るチャッキング部材（図示省略）によって保持されて回転する構成になっている。なお、本実施例では、ディスクメディア１２の直径（外径）は略１２０ｍｍとされている。
【００２５】
次に、ケース１４について説明する。図３で示すように、ケース１４は、合成樹脂製の上シェル２６と下シェル２８とを接合してなる略矩形扁平容器状に構成されている。具体的には、ケース１４は、平面視で、前縁部が左右略対称の円弧状に形成され、後端両隅角部が斜めに切り欠かれた形状に形成されており、この形状によってドライブ装置への誤装填が防止されるようになっている。
【００２６】
上シェル２６は、平面視でケース１４の形状に対応した形状の天板３０と、天板３０の外周縁部に略沿って下方に立設された外周壁３２とを備えている。天板３０には、ディスクメディア１２の外径よりも若干大径（ディスクメディア１２が回転しても接触しない程度の大きさ）の円形孔とされたディスク開口部３５が穿設されており、そのディスク開口部３５の内周縁部には、下方に向けて所定高さの内周壁３４が立設されている。
【００２７】
そして、この内周壁３４の内側にディスクメディア１２が回転可能に収容されるようになっており、ディスク開口部３５によって、ケース１４へのディスクメディア１２の挿入、ケース１４からのディスクメディア１２の取り出しが可能となっている。なお、上シェル２６の天板３０には、ディスク開口部３５が設けられたことにより、上方への膨出部分が形成されないので、ケース１４は、ディスク開口部３５が形成されていない密閉型ディスクカートリッジのケースよりも薄く構成できる利点がある。
【００２８】
また、外周壁３２において、その右壁には略矩形状の切欠部３２Ａが形成されている。この切欠部３２Ａは、後述する下シェル２８の切欠部４２Ａと対向することにより、後述するインナーローター１６の操作突起７２を突出させるシャッター操作窓５２を構成するようになっている。更に、天板３０（内周壁３４を含む）の後部側には、後述するディスク押さえ２４のアーム部８２、８４を許容する切欠部３０Ａ、３０Ｂが形成されている。
【００２９】
そして、一方（右側）の切欠部３０Ｂよりも後側で、かつ外方側の天板３０の内面には、後述する付勢手段としてのコイルばね９０の一端に形成された略環状のフック９０Ａを係止する係止ピン３８が突設されている。切欠部３０Ｂは、その係止ピン３８側が切欠部３０Ａよりも幅広に切り欠かれており、後述するディスク押さえ２４がディスクメディア１２の取出位置へ回動したときに、コイルばね９０の移動を許容するようになっている。
【００３０】
また、図４で示すように、天板３０の後部側内面で、切欠部３０Ａ、３０Ｂの間には、アーム部８２、８４に設けられた軸部８６が外れないように、下シェル２８に突設された軸押さえ５６と対をなして回動自在に保持する軸受け３６が所定間隔を隔てて突設されている。各軸受け３６は、図５で示すように、側面視略「Ｕ」字状に形成された溝部３６Ａを有し、その溝部３６Ａを構成する前壁部３６Ｂと後壁部３６Ｃの高さが異なるように、例えば前壁部３６Ｂが後壁部３６Ｃよりも高くなるように形成されている。
【００３１】
一方、下シェル２８は、天板３０に略対応した形状の底板４０と、外周壁３２に略対応した形状の外周壁４２とを備えている。底板４０には、開口２０が設けられている。開口２０は、ディスクメディア１２のセンター孔１２Ｃの外径よりも大径で、かつチャッキングエリア１２Ｄの外径（記録面１２Ｂの内径）よりも若干小径とされた略円形状のハブ孔２０Ａと、ハブ孔２０Ａの左右方向に引いた直径よりも前方に連設された略矩形状の記録及び／又は再生ヘッド用窓部２０Ｂとで構成され、全体として前方に開口する平面視略「Ｕ」字状に形成されている。なお、ハブ孔２０Ａと記録及び／又は再生ヘッド用窓部２０Ｂの形状は、これに限定されるものではなく、互いに独立して設けられてもよい。
【００３２】
ハブ孔２０Ａは、上シェル２６と下シェル２８とが接合された状態で、収容されたディスクメディア１２と略同軸となるように配置されている。そして、ハブ孔２０Ａは、上記寸法とされることで、不使用時において、センター孔１２Ｃ及びチャッキングエリア１２Ｄのみを外部に露出し、記録層が設けられた領域を外部に露出しない構成とされている。また、記録面１２Ｂを露出するための記録及び／又は再生ヘッド用窓部２０Ｂは、その左端縁がハブ孔２０Ａの前後方向に沿う接線よりも左方に位置するように拡幅されており、その前部は外周壁４２を切り欠いて前方に開口している。
【００３３】
また、ハブ孔２０Ａにドライブ装置の回転スピンドル軸が進入して、ディスクメディア１２のセンター孔１２Ｃ及びチャッキングエリア１２Ｄを係合保持しつつ、ディスクメディア１２を回転駆動するようになっている。そして、記録及び／又は再生ヘッド用窓部２０Ｂにドライブ装置の記録及び／又は再生ヘッドが進入して、ディスクメディア１２の記録層に対し、情報の記録又は再生を行うようになっている。なお、このとき、記録及び／又は再生ヘッド用窓部２０Ｂが前方にも開口していることから、記録及び／又は再生ヘッドは、記録層の最外周（外周縁部１２Ｅの内周に略達する位置）まで容易にアクセス可能となっている。
【００３４】
底板４０において、その後部側内面には、一対のボス４４、４６が所定間隔を隔てて突設されている。左側のボス４４は平面視円形状に形成され、右側のボス４６は左右方向が長い平面視略楕円形状に形成されている。各ボス４４、４６には、位置決め孔４４Ａ、４６Ａが穿設されており、各位置決め孔４４Ａ、４６Ａにドライブ装置の位置決めピン（図示省略）が挿入されることにより、ディスクカートリッジ１０のドライブ装置内での位置決めがなされるようになっている。
【００３５】
また、底板４０には、後述するインナーローター１６を内側に収容して回動可能に保持するリブ状の内壁５０が立設されている。この内壁５０は、平面視でインナーローター１６よりも若干大径とされた不連続な円弧状に形成されている。そして、記録及び／又は再生ヘッド用窓部２０Ｂの左右両縁部の前端には、それぞれ前端が外周壁４２に連設し、後端が内壁５０に連設する防塵リブ４８が立設されている。なお、防塵リブ４８及び内壁５０の高さは、インナーローター１６の環状壁部６２の高さと同等とされている。
【００３６】
また、外周壁４２において、その右壁には上シェル２６の外周壁３２に形成された切欠部３２Ａに対応した略矩形状の切欠部４２Ａが形成されている。したがって、上シェル２６と下シェル２８とを互いの外周壁３２、４２の端面を突き当てた状態で、ビス止めや超音波溶着等によって接合してケース１４を組み立てた際、インナーローター１６の操作突起７２を突出させるシャッター操作窓５２が形成される構成である。なお、このシャッター操作窓５２はケース１４の右壁側に設けられるものに限定されるものではなく、ドライブ装置との関係やインナーローター１６（第１シャッター部材６０）及び第２シャッター部材１８の形状等により、適宜その配設位置は変更される。
【００３７】
また、底板４０の後部側内面には、上シェル２６に突設された軸受け３６と対をなして、後述するディスク押さえ２４の軸部８６を回動自在に支持する軸押さえ５６が所定間隔を隔てて突設されている。この軸押さえ５６は、図４、図５で示すように、軸受け３６の前壁部３６Ｂと後壁部３６Ｃ間（溝部３６Ａ内）に挿入される、軸部８６と平行な所定高さの突条部５６Ａと、その突条部５６Ａの前後に形成された、高さが異なる段部５６Ｂ、５６Ｃとを有している。
【００３８】
段部５６Ｂ、５６Ｃは、前壁部３６Ｂと後壁部３６Ｃに対応して、例えば前側の段部５６Ｂが低く、後側の段部５６Ｃが高く形成されており、上シェル２６を下シェル２８に被せてケース１４を組み立てたときに、即ち軸受け３６の前壁部３６Ｂの端面を軸押さえ５６の段部５６Ｂに当接させ、軸受け３６の後壁部３６Ｃの端面を軸押さえ５６の段部５６Ｃに当接させたときに、溝部３６Ａと突条部５６Ａとの間にディスク押さえ２４の軸部８６を回動可能に保持できる空間が形成されるようになっている。
【００３９】
その他、底板４０の内面には、図３で示すように、インナーローター１６の下面に突設された係合突起６８が係合する略楕円形状の凹部５４、５５が所定間隔を隔てて形成されている。この凹部５４、５５は、互いに対向する側が緩やかな傾斜面となるように形成されている。更に、底板４０の内面で、かつ凹部５４、５５よりも前部側には、後述するディスク受け２２を底板４０に対して上下動可能に支持する一対のガイドピン５８が所定間隔を隔てて突設されている。
【００４０】
次に、インナーローター１６に一体に設けられている第１シャッター部材６０と第２シャッター部材１８について説明する。インナーローター１６と第２シャッター部材１８は、下シェル２８の底板４０上に配置される。そして、第１シャッター部材６０と第２シャッター部材１８とが互いに反対方向に回動することにより、開口２０、即ち記録及び／又は再生ヘッド用窓部２０Ｂが開閉されるようになっており、記録及び／又は再生ヘッド用窓部２０Ｂの開放時に、記録面１２Ｂの一部が外部に露出することにより、ドライブ装置の記録及び／又は再生ヘッドによるアクセスが可能となる構成である。
【００４１】
インナーローター１６は、ディスクメディア１２の記録面１２Ｂと所定の間隙を有して対面する第１シャッター部材６０と、ディスクメディア１２を内側に収容可能とする環状壁部６２と、第１シャッター部材６０と環状壁部６２との間に形成され、ディスクメディア１２の記録面１２Ｂ側の外周縁部１２Ｅを下方から支持するように上方に向けて隆起した外周受け部６４とを有している。環状壁部６２は、ケース１４を組み立てたときには、下シェル２８の内壁５０の内側で、かつ上シェル２６の内周壁３４の外側に回動可能に配置されるようになっており、環状壁部６２の上端が上シェル２６（天板３０）によって被覆されるようになっている。
【００４２】
インナーローター１６の中心には、ハブ孔２０Ａに対応する平面視円弧状の切欠部６０Ａが形成されており、インナーローター１６の略左半分側には、第２シャッター部材１８を許容する切欠部６０Ｂが形成されている。切欠部６０Ａは切欠部６０Ｂと連通しており、その切欠部６０Ａから連続する切欠部６０Ｂの右端縁が、開口２０（記録及び／又は再生ヘッド用窓部２０Ｂ）の開放時、その記録及び／又は再生ヘッド用窓部２０Ｂの右端縁よりも外方側に拡開する平面視円弧状とされ、第２シャッター部材１８との突当部６５とされている。
【００４３】
また、切欠部６０Ａ周りには、ディスクメディア１２のチャッキングエリア１２Ｄを下方から支持する平面視円弧状の内周受け部６６が突設されており、切欠部６０Ｂ側における外周受け部６４（インナーローター１６）の下面の所定位置には、第２シャッター部材１８をインナーローター１６（第１シャッター部材６０）と連動して移動させるための係合突起６８が突設されている。また、環状壁部６２の上面の所定位置には、ディスク押さえ２４を所定高さ持ち上げるための係合凸部７０が突設されており、環状壁部６２の外周面の所定位置には、シャッター操作窓５２から突出する操作突起７２が径方向に向かって突設されている。
【００４４】
更に、環状壁部６２の所定位置、即ち開口２０の開放時に記録及び／又は再生ヘッド用窓部２０Ｂと対応する部分の略下半分側には、外周受け部６４を含んで略矩形状に切り欠かれた切欠部６２Ａが形成されており、インナーローター１６の下面で、第２シャッター部材１８と重なる部分には、その第２シャッター部材１８の板厚分をある程度許容する凹部６２Ｂが形成されている。そして、環状壁部６２の上面で、切欠部６２Ａよりも左側の所定位置には、後述するディスク受け２２と係合するカム段部６２Ｃが形成されている（図６参照）。
【００４５】
第２シャッター部材１８は、左側のボス４４の外周に挿嵌される孔部７４Ａを有するボス７４を有しており、ボス４４を中心に回動可能となるように構成されている。つまり、ボス４４が第２シャッター部材１８の回動支点となっている。そして、第２シャッター部材１８のボス７４から最も遠い対辺側の端面が、第１シャッター部材６０の突当部６５に当接する平面視円弧状の突当部７５とされている。
【００４６】
また、第２シャッター部材１８には、ハブ孔２０Ａに対応する平面視円弧状の切欠部１８Ａが形成されており、その切欠部１８Ａ周りには、開口２０（記録及び／又は再生ヘッド用窓部２０Ｂ）の閉塞時に、第１シャッター部材６０の内周受け部６６の側面と当接することにより、所定高さの環状凸部を構成する平面視円弧状の内周受け部７６が突設されている。この内周受け部６６、７６の上面がチャッキングエリア１２Ｄに当接して、ディスクメディア１２を外周受け部６４と共に下方から支持することにより、記録面１２Ｂへの塵埃等の進入が防止される構成である。
【００４７】
また、第２シャッター部材１８の所定位置には、平面視略「く」字状の細長いガイド孔７８が穿設されている。このガイド孔７８に、インナーローター１６に突設された係合突起６８が挿入されて係合することにより、第２シャッター部材１８がインナーローター１６（第１シャッター部材６０）と連動して、互いに反対方向へ回動可能となる構成である。
【００４８】
なお、係合突起６８は、ガイド孔７８を突き抜けて凹部５４、５５内に挿入されるようになっている。つまり、係合突起６８の突出高さは、第２シャッター部材１８の板厚よりも凹部５４、５５の深さ程度（同一である必要はない）高くなっている。また、これら第１シャッター部材６０及び第２シャッター部材１８と、内周壁３４及び環状壁部６２とで、ディスクメディア１２の収容空間である収容部が形成されるようになっている。
【００４９】
次に、ディスク受け２２について説明する。ディスク受け２２は、切欠部６２Ａを形成したことにより、外周受け部６４の一部が省略されたのを補うためのもので、開口２０（記録及び／又は再生ヘッド用窓部２０Ｂ）の閉塞時に、その切欠部６２Ａを閉塞するように架橋されている。具体的には、内側に環状壁部６２を収容可能な断面視略「コ」字状に形成され、平面視で環状壁部６２と曲率が同一の円弧状となるように形成されている。そして、ガイドピン５８に沿って上下動可能となるように、そのガイドピン５８が係合する一対の係合溝（図示省略）が両端部に形成されている。
【００５０】
また、このディスク受け２２は、図６で示すように、インナーローター１６の回動に伴って上下動するように、その上壁２２Ａの下面左端部に、カム段部６２Ｃと係合するカム突起２２Ｃが形成されている。したがって、開口２０（記録及び／又は再生ヘッド用窓部２０Ｂ）の閉塞時には、カム突起２２Ｃが環状壁部６２の上面に支持されることにより、ディスク受け２２は上昇位置にあって切欠部６２Ａを閉塞する。そして、これにより、欠けている外周受け部６４の一部を補い、ディスクメディア１２の外周縁部１２Ｅを、その外周受け部６４と共に支持する。
【００５１】
一方、開口２０（記録及び／又は再生ヘッド用窓部２０Ｂ）の開放時には、カム突起２２Ｃがカム段部６２Ｃに係合することにより、ディスク受け２２は下降位置にあってインナーローター１６の移動（回動）を許容する。なお、ディスク受け２２の下壁２２Ｂの左端部には上向きのテーパー面が形成され、外周受け部６４の切欠部６２Ａの左辺縁部に臨む端部には下向きのテーパー面が形成されている。したがって、インナーローター１６の回動に伴って、外周受け部６４は、その下壁２２Ｂ上に容易に乗り上げられる構成である。また、下壁２２Ｂの右端部にも、下向きのテーパー面が形成されており、外周受け部６４に形成された上向きのテーパー面と面接するようになっている。
【００５２】
次に、本発明の要部であるディスク押さえ２４について説明する。この合成樹脂製のディスク押さえ２４は、ケース１４の後部側に設けられ、ケース１４に対して回動可能に支持される所定間隔を隔てた一対のアーム部８２、８４と、アーム部８２、８４の先端に左右対称となるように架橋連設され、ディスクメディア１２の非記録面１２Ａの一部（後側）を被覆するように、そのディスクメディア１２の形状に略沿った平面視略三日月型形状の押さえ部８０とで構成されている。
【００５３】
押さえ部８０は、左右対称な平面視略三日月型形状とされることで、ディスクメディア１２の非記録面１２Ａ側のチャッキングエリア１２Ｄを回避するようになっており、ディスク開口部３５から進入して、そのチャッキングエリア１２Ｄを保持するチャッキング部材に干渉しないようになっている。なお、アーム部８２、８４間における押さえ部８０の後端は、後述する取出位置（最大回動位置）へ回動する際に、天板３０と干渉しないように、直線状に切り欠かれている。
【００５４】
また、押さえ部８０は、その先端でディスクメディア１２の非記録面１２Ａを押さえるが、その左右両端がディスクメディア１２の外周縁部１２Ｅのみを押さえるような構成にしてもよい。このような構成にすると、押さえ部８０（ディスク押さえ２４）が非記録面（印刷面）１２Ａを傷つけるおそれがない。何れにしても、このディスク押さえ２４により、ディスクメディア１２がディスク開口部３５から脱落しないように、かつ、保存時において収容部内でガタつかないように保持される（図７（Ａ）参照）。
【００５５】
一対のアーム部８２、８４の後端には、左右内側方に向けて円柱状の軸部８６がそれぞれ突設されており、その軸部８６が下シェル２８の軸押さえ５６と、上シェル２６の軸受け３６との間に形成された空間内に回動可能に保持されるようになっている。また、図４で示すように、一方（右側）のアーム部８４の内面（下面）には、コイルばね９０の他端に形成された略環状のフック９０Ｂを係止する係止ピン８８が突設されており、ディスク押さえ２４は、係止ピン３８、８８間に張架された（所定のテンションを有した状態で架設された）コイルばね９０によって、常時ディスクメディア１２側へ付勢されるようになっている。
【００５６】
また、他方（左側）のアーム部８２の内面は、インナーローター１６の環状壁部６２上面に突設された係合凸部７０が係合（当接）して押し上げる作用面とされており、ディスクメディア１２の動作時（回転時）には、図７（Ｂ）で示すように、ディスク押さえ２４が、その係合凸部７０により、コイルばね９０の付勢力に抗して若干上昇位置に保持され、そのディスクメディア１２の回転を許容する構成である。
【００５７】
そして更に、ディスクメディア１２をディスク開口部３５から取り出すときには、ディスク押さえ２４を人手によって後方に向かって回動させるが、このとき、ディスク押さえ２４は、その取出位置（最大回動位置）に一時的に保持されるように、コイルばね９０の付勢力及び取付位置が規定されている。
【００５８】
すなわち、ディスク押さえ２４が回動して、他方（左側）のアーム部８２の外面（上面）が天板３０に形成された切欠部３０Ａの後側辺縁部に当接する最大回動位置（取出位置）にあるときには、図７（Ｃ）で示すように、コイルばね９０は、幅広に形成された切欠部３０Ｂ内に入り込んで、その付勢力が側面視で軸部８６を越えて矢印Ｆ方向に向かうように、係止ピン３８、８８の突設位置が規定されている。
【００５９】
したがって、ディスク押さえ２４は取出位置（最大回動位置）に一時的に保持可能であり、これによって、ディスク押さえ２４は、ディスクメディア１２を保持する保存位置、ディスクメディア１２を回転可能とする動作位置、ディスクメディア１２を取出可能とする取出位置（最大回動位置）の３つの状態（姿勢）に保持可能とされる。
【００６０】
また、このディスク押さえ２４は、図７（Ａ）、図７（Ｂ）で示すように、ディスクメディア１２を取り出す取出位置以外の位置（特に動作位置）において、側面視でケース１４（天板３０）の上面から突出しないように構成されている。したがって、特に動作位置において、ディスク押さえ２４がケース１４（天板３０）の上面から突出してしまうものに比べ、ドライブ装置の更なる薄型化が図れる効果がある。
【００６１】
また、ディスク押さえ２４の内面（下面）において、左右両方のアーム部８２、８４と押さえ部８０との連設部近傍で、かつ平面視でディスクメディア１２の外周縁部１２Ｅに対応する部位には、ディスク押さえ２４を含んでケース１４の後部側を把持したときに（ディスク押さえ２４を把持部として利用したときに）、そのディスク押さえ２４が撓まないように支持する柱状の支持リブ９２が突設されている。
【００６２】
すなわち、この支持リブ９２は、ディスクカートリッジ１０の不使用時（ディスクメディア１２の保存時）で、かつディスク押さえ２４を含んでケース１４の後部側が把持されていないときには、その先端９２Ａがディスクメディア１２の非記録面１２Ａにおける外周縁部１２Ｅから若干（０．５ｍｍ〜１．０ｍｍ程度）離間した状態となるような長さに形成されている。そして、図８で示すように、ディスク押さえ２４を含んでケース１４の後部側を把持したときにのみ（ディスク押さえ２４を上方から押圧したときにのみ）、そのディスクメディア１２の外周縁部１２Ｅに当接して、ディスク押さえ２４の撓み変形を抑止する構成になっている。
【００６３】
このように、ケース１４の後部側にディスク押さえ２４が設けられ、かつ、そのディスク押さえ２４の内面（下面）に支持リブ９２が突設されていると、ディスクカートリッジ１０をドライブ装置へ装填するときに、そのディスクカートリッジ１０を把持するための把持部としてディスク押さえ２４を好適に利用することができるので好ましい。なお、この支持リブ９２は、柱状に形成されていることから充分に剛性を確保することができる。したがって、ディスク押さえ２４の撓み変形を好適に抑止することができる。また、支持リブ９２の形状は、ある程度の剛性を確保できる形状であればよく、例えば四角柱、六角柱等の角柱、円柱、楕円柱等が含まれる。
【００６４】
以上のような構成のディスクカートリッジ１０において、次に、その作用について説明する。上シェル２６及びディスクメディア１２を取り除いた図９で示すように、ディスクカートリッジ１０の不使用時（ディスクメディア１２の保存時）には、開口２０（記録及び／又は再生ヘッド用窓部２０Ｂ）が第１シャッター部材６０及び第２シャッター部材１８によって閉塞されている。
【００６５】
すなわち、第１シャッター部材６０と第２シャッター部材１８とが、互いの突当部６５、７５を突き合せることで記録及び／又は再生ヘッド用窓部２０Ｂを閉塞している。なお、この突当部６５、７５は、互いに上下に重ね合わせ可能なように、テーパー面又は段部を有するように形成されることが好ましく、この方がケース１４内への塵埃の侵入を確実に阻止することができる。
【００６６】
また、このとき、内周受け部６６、７６は、その側面が互いに当接することにより、環状に形成されている。そして、インナーローター１６の下面に突設されている係合突起６８は、第２シャッター部材１８のガイド孔７８の後端部側を貫通して下シェル２８の凹部５４に挿入されている。更に、ディスク受け２２は、上昇位置に保持されて切欠部６２Ａを閉塞している。
【００６７】
したがって、ディスクメディア１２は、記録面１２Ｂ側のチャッキングエリア１２Ｄが内周受け部６６、７６により支持され、記録面１２Ｂ側の外周縁部１２Ｅが外周受け部６４により支持されて収容部内に収容され、その記録面１２Ｂが外部から完全に遮断されている。つまり、このディスクカートリッジ１０は、ディスク開口部３５が設けられていることにより、ディスクメディア１２の非記録面１２Ａ側に塵埃等が付着することはあるが、不使用時には、開口２０（記録及び／又は再生ヘッド用窓部２０Ｂ）が第１シャッター部材６０及び第２シャッター部材１８によって閉塞されているので、その記録面１２Ｂ側に塵埃等が付着することはない。
【００６８】
また、上シェル２６及びディスクメディア１２を取り付けた図２、図７（Ａ）で示すように、ディスクカートリッジ１０の不使用時（ディスクメディア１２の保存時）には、ディスク押さえ２４がコイルばね９０の付勢力によってディスクメディア１２の非記録面１２Ａ側を押さえている。好ましくは、押さえ部８０の左右両端がディスクメディア１２の非記録面１２Ａ側の外周縁部１２Ｅを押圧保持している。したがって、ディスクメディア１２はディスク開口部３５から脱落しないし、収容部内においてガタつくことがない。
【００６９】
なお、ディスクメディア１２の非記録面１２Ａは、ディスク開口部３５によって常に外部に露出しているので、非記録面１２Ａに印刷されたディスクメディア１２のコンテンツ等はユーザーに容易に把握される。また、その非記録面１２Ａに印刷された内容により、ディスクメディア１２の意匠性が高められるので、結果的にディスクカートリッジ１０の意匠性が高められる。
【００７０】
さて、このようなディスクカートリッジ１０をドライブ装置に装填して記録又は再生を行うが、このとき、殆どのユーザーがケース１４の後部側を把持する。すなわち、ディスク押さえ２４を含むケース１４の後部側を把持して、ドライブ装置の装填口にディスクカートリッジ１０を装填する。
【００７１】
その際、ディスク押さえ２４の内面には、ディスクメディア１２の外周縁部１２Ｅに当接する支持リブ９２が突設されているので、把持による押圧力でディスク押さえ２４が撓んでも、その支持リブ９２によって、ディスク押さえ２４の撓み変形が抑止される。したがって、ユーザーに操作上での不安感を抱かせることがない。また、支持リブ９２が当接するのは、ディスクメディア１２の外周縁部１２Ｅなので、そのディスクメディア１２の印刷面（非記録面１２Ａ）を傷つけてしまうような不具合は発生しない。
【００７２】
こうして、ディスクカートリッジ１０がドライブ装置の装填口に装填されると、第１シャッター部材６０（インナーローター１６）及び第２シャッター部材１８が互いに反対方向へ回動することにより、開口２０（記録及び／又は再生ヘッド用窓部２０Ｂ）が開放され、かつ、また、位置決め孔４４Ａ、４６Ａに位置決めピン（図示省略）が挿入されて、ディスクカートリッジ１０のドライブ装置内での位置決めがなされる。
【００７３】
すなわち、ドライブ装置の開閉部材（図示省略）が、シャッター操作窓５２の前端側から突出している操作突起７２に係合し、その操作突起７２をケース１４の後方に向かって移動させる。すると、図１０で示すように、インナーローター１６が、ハブ孔２０Ａを中心に内壁５０に沿って時計方向に回動し始め、突当部６５、７５及び内周受け部６６、７６の側面が互いに離間し始める。そして、図６で示すように、ディスク受け２２のカム突起２２Ｃが環状壁部６２のカム段部６２Ｃと係合し始め、ディスク受け２２がガイドピン５８に沿って下降する。ディスク受け２２が下降することにより、インナーローター１６の回動が完全に許容される。
【００７４】
また、このとき、係合突起６８はガイド孔７８内を摺動し、第２シャッター部材１８がボス４４を中心に反時計方向へ回動し始める。更に、このとき、凹部５４は少なくとも係合突起６８が出て行く摺動方向側が緩やかな傾斜面とされているので、インナーローター１６の回動に伴って係合突起６８は凹部５４内からスムーズに外れて、下シェル２８の底板４０上を摺動し始める。
【００７５】
ここで、係合突起６８は第２シャッター部材１８の板厚よりも高く形成されているので、インナーローター１６の少なくとも係合突起６８付近は、その係合突起６８により、第２シャッター部材１８上及び下シェル２８の底板４０上から所定高さ上昇する。つまり、ディスクメディア１２は、記録面１２Ｂ側の外周縁部１２Ｅが外周受け部６４に支持された状態で、記録面１２Ｂ側のチャッキングエリア１２Ｄが第２シャッター部材１８の内周受け部７６から離間する。これにより、第２シャッター部材１８は、その内周受け部７６が記録面１２Ｂに接触することなく、反時計方向に回動可能となる。
【００７６】
その後、更に、図１１で示すように、インナーローター１６が時計方向に回動し、それに伴って第２シャッター部材１８が反時計方向に回動することにより、記録及び／又は再生ヘッド用窓部２０Ｂが開放され始める。そして、第２シャッター部材１８は、係合突起６８がガイド孔７８の屈曲された中途部に到達した時点で、その反時計方向への回動が停止する。このとき、第２シャッター部材１８の最右側にある切欠部１８Ａ（内周受け部７６）の右前端部は、記録及び／又は再生ヘッド用窓部２０Ｂの左端縁よりも左側に位置する。
【００７７】
一方、インナーローター１６は、図１２で示すように、第２シャッター部材１８の回動が停止した後も更に時計方向に回動し、それに伴って係合突起６８がガイド孔７８内を摺動する。そして、その係合突起６８がガイド孔７８の前端部側に到達すると、図１３で示すように、記録及び／又は再生ヘッド用窓部２０Ｂが完全に開放される。なお、このとき、操作突起７２は、シャッター操作窓５２の後端側に位置し、係合突起６８は、下シェル２８の凹部５５内に挿入される。この凹部５５も少なくとも係合突起６８が入って来る摺動方向側が緩やかな傾斜面とされているので、その係合突起６８はスムーズに凹部５４内に挿入される。
【００７８】
また、これにより、インナーローター１６は第２シャッター部材１８上及び下シェル２８の底板４０上に下降するが、このとき、すでにディスクメディア１２のセンター孔１２Ｃ及びチャッキングエリア１２Ｄは、ハブ孔２０Ａから進入して来たドライブ装置の回転スピンドル軸とディスク開口部３５から進入してきたチャッキング部材によって保持（チャッキング）されて、ディスクメディア１２自体が回転許容位置まで上昇している（記録面１２Ｂ側の外周縁部１２Ｅが外周受け部６４から離間している）。したがって、その記録面１２Ｂが、第２シャッター部材１８の内周受け部７６に接触することはない。
【００７９】
また、このとき、インナーローター１６の環状壁部６２上に突設された係合凸部７０がディスク押さえ２４のアーム部８２の作用面に係合（当接）して、図７（Ｂ）で示すように、そのアーム部８２をコイルばね９０の付勢力に抗して所定高さ上昇させている。つまり、ディスク押さえ２４の押さえ部８０を所定高さ上昇させて、押さえ部８０の先端（左右両端）をディスクメディア１２の非記録面１２Ａ上から離間させている。したがって、ディスク押さえ２４（支持リブ９２を含む）がディスクメディア１２に干渉することはない。
【００８０】
また、このディスク押さえ２４は、左右対称な平面視略三日月型形状に形成されている（先端中央が円弧状に切り欠かれている）ので、ディスク開口部３５（上方）から進入して来るチャッキング部材に干渉することもない。つまり、ディスク押さえ２４がディスクメディア１２に対するチャッキング（保持）の妨げになるような不具合は起きない。更に、係合凸部７０が係合（当接）するのは、コイルばね９０が設けられていないアーム部８２であるので、その係合凸部７０がコイルばね９０に干渉するような不具合も起きない。
【００８１】
何れにしても、こうして記録及び／又は再生ヘッド用窓部２０Ｂ（開口２０）が開放され、ディスク押さえ２４による押さえ（押圧保持）が解除されたディスクメディア１２は、回転スピンドル軸によって回転させられながら、記録及び／又は再生ヘッド用窓部２０Ｂから進入して来たドライブ装置の記録及び／又は再生ヘッドにより、記録面１２Ｂへの情報の記録、又は記録面１２Ｂに記録された情報の再生が行われる。
【００８２】
一方、ディスクカートリッジ１０をドライブ装置から取り出すときには、まず、位置決め孔４４Ａ、４６Ａから位置決めピンが抜き出されて、ディスクカートリッジ１０のドライブ装置内での位置決めが解除される。そして、ドライブ装置の排出機構等（図示省略）によって、ディスクカートリッジ１０がドライブ装置の装填口から排出される方向へ移動し始める。
【００８３】
すると、ドライブ装置の開閉部材が、シャッター操作窓５２の後端側から突出している操作突起７２をケース１４の前方に向かって移動させ、インナーローター１６が、ハブ孔２０Ａを中心に内壁５０に沿って、図９乃至図１３における反時計方向に回動し始める。そして、ガイド孔７８の前端部側に位置していた係合突起６８が、そのガイド孔７８に沿ってケース１４の後方側へ移動するとともに凹部５５から外れる。このとき、凹部５５の係合突起６８が出て行く摺動方向側は緩やかな傾斜面とされているので、係合突起６８はスムーズに凹部５５から外れる。
【００８４】
また、インナーローター１６の回動に伴って、アーム部８２から係合凸部７０が外れる。これにより、ディスク押さえ２４の押さえ部８０がコイルばね９０の付勢力によってディスクメディア１２の非記録面１２Ａを再び押圧保持する。
【００８５】
そして、インナーローター１６が反時計方向に回動し、係合突起６８がガイド孔７８の屈曲された中途部を過ぎると、第２シャッター部材１８が時計方向に回動し始める。このとき、すでに回転スピンドル軸及びチャッキング部材によるディスクメディア１２の保持（チャッキング）は解除されているが、係合突起６８は、凹部５５から外れて底板４０上を摺動しているので、インナーローター１６の少なくとも係合突起６８付近は、所定高さ上昇している。したがって、第２シャッター部材１８の内周受け部７６が記録面１２Ｂに接触することはない。
【００８６】
そして更に、インナーローター１６が反時計方向に回動し、第２シャッター部材１８が時計方向に回動することにより、記録及び／又は再生ヘッド用窓部２０Ｂが閉塞されて行くが、これに伴ってカム段部６２Ｃにカム突起２２Ｃが係合し始め、ディスク受け２２がガイドピン５８に沿って上昇し始める。そして、図９で示すように、突当部６５に突当部７５が当接し、内周受け部６６の側面に内周受け部７６の側面が当接することにより、記録及び／又は再生ヘッド用窓部２０Ｂが閉塞され、かつ切欠部６２Ａがディスク受け２２によって閉塞される。
【００８７】
なお、このとき、係合突起６８が凹部５４内に、その傾斜面によってスムーズに挿入され、インナーローター１６が所定高さ下降することにより、内周受け部６６、７６上にチャッキングエリア１２Ｄが載置される。つまり、ディスクメディア１２は、記録面１２Ｂ側の外周縁部１２Ｅが外周受け部６４によって支持され、記録面１２Ｂ側のチャッキングエリア１２Ｄが内周受け部６６、７６によって支持される。これにより、記録面１２Ｂが再度外部から遮断された状態となり、記録面１２Ｂへの塵埃等の付着が防止された状態となって、ディスクカートリッジ１０がドライブ装置の装填口から排出される。
【００８８】
以上がディスクメディア１２をディスクカートリッジ１０ごとドライブ装置に装填する場合の作用であるが、ドライブ装置によっては、ディスクメディア１２のみを装填する場合もある。この場合には、ディスクカートリッジ１０からディスクメディア１２を取り出す。つまり、ユーザーがディスク押さえ２４をケース１４の後方へ向けて回動させ、ディスク開口部３５を完全に開放する。
【００８９】
ディスク押さえ２４は、そのアーム部８２の外面（上面）が切欠部３０Ａの後側辺縁部に当接する最大回動位置まで回動すると、その最大回動位置に一時的に保持される。すなわち、ディスク押さえ２４が最大回動位置まで回動すると、フック９０Ａが係止ピン３８に挿嵌され、フック９０Ｂが係止ピン８８に挿嵌されたコイルばね９０は、ディスク押さえ２４の回動に伴って、幅広に形成された切欠部３０Ｂ内に入り込み、側面視で軸部８６を下から上に越えるため、その付勢力は矢印Ｆ方向に働くようになる（図７（Ｃ）参照）。
【００９０】
したがって、ディスク押さえ２４は、その最大回動位置（ディスクメディア１２の取出位置）に一時的に保持可能となり、これによって、ディスク開口部３５からのディスクメディア１２の取り出しが容易にできる。なお、このとき、フック９０Ａ、９０Ｂは、ディスク押さえ２４の回動に伴って、各係止ピン３８、８８の根元の方へ向かって摺動しようとするので、各係止ピン３８、８８から外れることはない。
【００９１】
また、ディスクメディア１２を再度ケース１４内に収容する場合は、ディスク開口部３５からディスクメディア１２を挿入し、ディスク押さえ２４をケース１４の前方へ向けて回動させるが、このとき、ディスク押さえ２４をケース１４の前方へ向けて軽く押すことで、容易に回動させることができる。
【００９２】
つまり、ディスク押さえ２４を軽く押すだけで、コイルばね９０が軸部８６を上から下へ簡単に越えるので、その付勢力は、すぐにディスク押さえ２４をディスクメディア１２側へ付勢する方向に働く。したがって、ディスク押さえ２４は、再度ディスクメディア１２を押圧保持することが容易に可能となり、これによって、ディスクメディア１２のディスク開口部３５からの脱落及び収容部内でのガタつきが再度防止された状態となる。
【００９３】
以上、何れにしても、不使用時において、ディスク押さえ２４を含んでケース１４の後部側を把持しても、そのディスク押さえ２４の内面（下面）で、かつアーム部８２、８４と押さえ部８０との連設部近傍には、撓んだときにディスクメディア１２の外周縁部１２Ｅに当接する突起としての支持リブ９２が突設されているので、そのディスク押さえ２４の撓み変形を好適に抑止することができる。したがって、ユーザーに操作上における不安感を抱かせることがない。また、これにより、ディスク押さえ２４は、少なくとも押さえ部８０の左右両端と支持リブ９２の計４点でディスクメディア１２を押さえることが可能となるので、確実に保持することができ、ディスクメディア１２が収容部内でガタつくことはない。
【００９４】
なお、上記実施例では、片面に記録面１２Ｂが形成されたディスクメディア１２としたが、両面に記録面が設けられたディスクメディアでも、ディスク押さえ２４が押さえる部位をディスクメディア１２の外周縁部１２Ｅのみとすれば適用が可能である。また、ディスクメディア１２は、例えばユーザーによって情報の記録が不能とされた再生専用のディスクメディアであってもよい。更に、上記実施例では、ディスクメディア１２の直径が略１２０ｍｍである構成としたが、本発明はこれに限定されず、如何なる寸法のディスクメディアを備えるディスクカートリッジ１０についても適用が可能である。
【図面の簡単な説明】
【００９５】
【図１】ディスクメディアを除いたディスクカートリッジの概略斜視図
【図２】ディスクカートリッジの外観を示す概略平面図
【図３】ディスクカートリッジの構成を示す概略分解斜視図
【図４】ディスクカートリッジの要部の構成を示す概略分解斜視図
【図５】ディスク押さえの軸部を支持する軸受けと軸押さえの形状を示す概略断面図
【図６】ディスク受けの動作説明図
【図７】図２のＸ−Ｘ線矢視断面で示すディスク押さえの動作説明図
【図８】ディスク押さえを含んでケースの後部側を把持した状態を示す説明図
【図９】第１シャッター部材及び第２シャッター部材の動作説明図
【図１０】第１シャッター部材及び第２シャッター部材の動作説明図
【図１１】第１シャッター部材及び第２シャッター部材の動作説明図
【図１２】第１シャッター部材及び第２シャッター部材の動作説明図
【図１３】第１シャッター部材及び第２シャッター部材の動作説明図
【符号の説明】
【００９６】
１０  ディスクカートリッジ
１２  ディスクメディア
１２Ａ  非記録面
１２Ｂ  記録面
１４  ケース
１６  インナーローター
１８  第２シャッター部材
２０  開口
２２  ディスク受け
２４  ディスク押さえ
２６  上シェル
２８  下シェル
３０  天板
３５  ディスク開口部
４０  底板
６０  第１シャッター部材
９０  コイルばね
９２  支持リブ（突起）
【図１】
2005267689.tif 000003
【図２】
2005267689.tif 000004
【図３】
2005267689.tif 000005
【図４】
2005267689.tif 000006
【図５】
2005267689.tif 000007
【図６】
2005267689.tif 000008
【図７】
2005267689.tif 000009
【図８】
2005267689.tif 000010
【図９】
2005267689.tif 000011
【図１０】
2005267689.tif 000012
【図１１】
2005267689.tif 000013
【図１２】
2005267689.tif 000014
【図１３】
2005267689.tif 000015